(57)【要約】【課題】球払出装置を遊技機から取り外す動作に連動して、必ず遊技球の球抜きが行われるよう構成されている遊技機の球払出装置の着脱構造を提供すること。【解決手段】パチンコ遊技機６に着脱可能に配設され、遊技球の払い出しを行う払出機能を有する球払出装置１の着脱構造において、球払出装置１のパチンコ遊技機６への取り付け状態を維持させておくロック部５を備え、ロック部５をロック解除状態にすることに連動して、パチンコ遊技機６内に貯留されている遊技球８の球抜き動作を開始させるよう構成されている。【選択図】図５
2006345900.tif 000002
【特許請求の範囲】
【請求項１】
遊技機に着脱可能に配設され、遊技球の払い出しを行う払出機能を有する球払出装置の着脱構造において、
該球払出装置の遊技機への取り付け状態を維持させておくロック部を備え、
該ロック部をロック解除状態にすることに連動して、遊技機内に貯留されている遊技球の球抜き動作を開始させるよう構成されていることを特徴とする遊技機の球払出装置の着脱構造。
【請求項２】
請求項１において、上記球払出装置内又はその上流側には、該球払出装置から払い出す遊技球を流下させる払出通路と、該払出通路から分岐して球抜きを行うための球抜き通路と、上記払出通路と上記球抜き通路との間の開通状態と遮断状態とを切り替える開閉弁とが設けられており、該開閉弁は、上記球払出装置に設けられた上記ロック部をロック解除状態にすることにより上記開通状態への動作を可能とするよう構成されていることを特徴とする遊技機の球払出装置の着脱構造。
【請求項３】
請求項１又は２において、上記球払出装置は、遊技機への取り付け時には上記球払出装置を遊技機へ近接させる第１方向に移動させた後、上記第１方向と異なる第２方向に移動させて取り付け、遊技機からの取り外し時には上記第２方向の逆方向、上記第１方向の逆方向の順に移動させて取り外すよう構成されており、上記球払出装置の取り付け状態において、上記ロック部は上記球払出装置の上記第２方向の逆方向への移動を規制することを特徴とする遊技機の球払出装置の着脱構造。
【請求項４】
遊技機に着脱可能に配設され、遊技球の払い出しを行う払出機能を有する球払出装置において、
該球払出装置は、遊技機への取り付け状態を維持させておくロック部を有しており、
該ロック部をロック解除状態にすることに連動して、遊技機内に貯留されている遊技球の球抜き動作を開始させるよう構成されていることを特徴とする遊技機の球払出装置。
【発明の詳細な説明】
【技術分野】
【０００１】
本発明は、パチンコ遊技機、アレンジボール遊技機、遊技球を遊技媒体として使用するスロットマシーン等の遊技機に関し、遊技機に着脱可能に配設され、所定個数の遊技球を払い出すことができる球払出装置に関する。
【背景技術】
【０００２】
例えば、パチンコ遊技機においては、外枠の前面側に遊技領域を形成する遊技盤を備えた本体枠を配設して構成されている。また、パチンコ遊技機には、遊技球を収納する球タンクが配設されており、この球タンクの下方には、所定数の遊技球を球皿に払い出す払出機能を有する球払出装置が配設されている。払出機能を有する球払出装置としては、例えば特許文献１に示すものがある。
【０００３】
また、上記球払出装置には、パチンコ遊技機への着脱が可能に構成されたものがある。このような球払出装置は、メンテナンスや故障による取替え等でパチンコ遊技機から取り外す必要が生じたとき、通常、球タンク内の遊技球（球払出装置よりも上流側の遊技球）を外部に抜き出す球抜き作業を行った後、パチンコ遊技機から球払出装置を取り外す。
【０００４】
ところが、遊技球の球抜きを行う動作とパチンコ遊技機から球払出装置を取り外す動作とは別動作であるため、球抜きをせず、球タンク内に遊技球が貯留されたままの状態で、パチンコ遊技機から球払出装置を取り外してしまうことがあった。これにより、球払出装置の取り外し時に、球タンク内に貯留されている遊技球がこぼれ出るといったトラブルが発生していた。
【０００５】
【特許文献１】特開平１０−１５５９９９号公報
【発明の開示】
【発明が解決しようとする課題】
【０００６】
本発明は、かかる従来の問題点に鑑みてなされたもので、遊技機からの取り外し動作に連動して、必ず遊技球の球抜きが行われるよう構成されている遊技機の球払出装置及びその着脱構造を提供しようとするものである。
【課題を解決するための手段】
【０００７】
本発明は、遊技機に着脱可能に配設され、遊技球の払い出しを行う払出機能を有する球払出装置の着脱構造において、
該球払出装置の遊技機への取り付け状態を維持させておくロック部を備え、
該ロック部をロック解除状態にすることに連動して、遊技機内に貯留されている遊技球の球抜き動作を開始させるよう構成されていることを特徴とする遊技機の球払出装置の着脱構造にある（請求項１）。
【０００８】
本発明の球払出装置の着脱構造は、該球払出装置の遊技機への取り付け状態を維持させておくロック部を備えている。そして、該ロック部をロック解除状態にすることに連動して、遊技球の球抜き動作を開始させるよう構成されている。
即ち、上記球払出装置の着脱構造は、上記球払出装置を遊技機から取り外す動作である上記ロック部のロックを解除するという動作に連動して、遊技球の球抜き動作が開始される。そして、遊技機内に貯留されている遊技球の球抜きが行われる。
【０００９】
そのため、上記のような着脱構造を有する球払出装置を遊技機から取り外そうとすれば、その動作に連動して必ず球抜きが行われる。それ故、球抜きをせず、遊技機内に遊技球が貯留されたままの状態で、上記球払出装置を取り外すことを防止することができる。これにより、例えば、上記球払出装置の取り外し時に、上記球払出装置内又はその上流側に貯留されている遊技球がこぼれ出ることを防ぐことができる。
【００１０】
よって、本発明によれば、球払出装置を遊技機から取り外す動作に連動して、必ず遊技球の球抜きが行われるよう構成されている遊技機の球払出装置の着脱構造を提供することができる。
【００１１】
第２の発明は、遊技機に着脱可能に配設され、遊技球の払い出しを行う払出機能を有する球払出装置において、
該球払出装置は、遊技機への取り付け状態を維持させておくロック部を有しており、
該ロック部をロック解除状態にすることに連動して、遊技機内に貯留されている遊技球の球抜き動作を開始させるよう構成されていることを特徴とする遊技機の球払出装置にある（請求項４）。
【００１２】
本発明の遊技機の球払出装置は、遊技機への取り付け状態を維持させておくロック部を有している。そして、該ロック部をロック解除状態にすることに連動して、遊技球の球抜き動作を開始させるよう構成されている。
そのため、上記第１の発明と同様の作用効果を得ることができる。
【００１３】
よって、本発明によれば、遊技機からの取り外し動作に連動して、必ず遊技球の球抜きが行われるよう構成されている遊技機の球払出装置を提供することができる。
【発明を実施するための最良の形態】
【００１４】
上記第１の発明においては、上記球払出装置内又はその上流側には、該球払出装置から払い出す遊技球を流下させる払出通路と、該払出通路から分岐して球抜きを行うための球抜き通路と、上記払出通路と上記球抜き通路との間の開通状態と遮断状態とを切り替える開閉弁とが設けられており、該開閉弁は、上記球払出装置に設けられた上記ロック部をロック解除状態にすることにより上記開通状態への動作を可能とするよう構成されていることが好ましい（請求項２）。
【００１５】
この場合には、上記ロック部のロックを解除するという動作に連動して、上記開閉弁の上記開通状態への移動が実現される。これにより、簡易的な構成により、遊技球を上記球抜き通路へと導いて、円滑に球抜きを行うことができる。
なお、上記開閉弁の移動は、上記ロック部の移動に連動するリンク機構等を介して行ってもよいし、上記ロック部の移動に伴って上記開閉弁の移動を自由にし、遊技球の重さを駆動源として上記開閉弁を移動させてもよい。
【００１６】
また、上記球払出装置は、遊技機への取り付け時には上記球払出装置を遊技機へ近接させる第１方向に移動させた後、上記第１方向と異なる第２方向に移動させて取り付け、遊技機からの取り外し時には上記第２方向の逆方向、上記第１方向の逆方向の順に移動させて取り外すよう構成されており、上記球払出装置の取り付け状態において、上記ロック部は上記球払出装置の上記第２方向の逆方向への移動を規制することが好ましい（請求項３）。
【００１７】
この場合には、上記球払出装置は、上記ロック部のロックを解除する動作に加えて、複数の移動動作を行うことにより、遊技機から取り外すことができる構成である。そのため、遊技機から容易に離脱することを防止することができる。これにより、遊技機への取り付け状態を充分、かつ確実に維持させておくことができる。
また、上記球払出装置は、上記のような構成であるため、上記ロック部のロックを解除する動作のみを行うことによって、遊技機から上記球払出装置を取り外さず、遊技球の球抜き動作のみを行うことが可能である。
【実施例】
【００１８】
本発明の実施例にかかる遊技機の球払出装置について、図１〜図１０を用いて説明する。
本例の球払出装置１の着脱構造は、図１に示すごとく、遊技機としてのパチンコ遊技機６に用いるものである。
球払出装置１は、図４、図７に示すごとく、パチンコ遊技機６への取り付け状態を維持させておくロック部５を有している。そして、ロック部５をロック解除状態にすることに連動して、パチンコ遊技機６内に貯留されている遊技球８の球抜き動作を開始させるよう構成されている。
以下、これを詳説する。
【００１９】
本例の球払出装置１は、図１に示すごとく、遊技機としてのパチンコ遊技機６に配設されるものである。なお、図１は、パチンコ遊技機６を裏側から見たものである。
パチンコ遊技機６は、同図に示すごとく、パチンコ遊技機６における外枠６０と、外枠６０の前面側に配設した本体枠６１と、本体枠６１の前面側に開閉可能に配設したガラス扉（図示略）とを有している。本体枠６１は、遊技領域を形成する遊技盤（図示略）を配設してなり、上記ガラス扉は、プラスチック製の枠部の内側にガラス板を配設してなる。
【００２０】
また、同図に示すごとく、本体枠６１の前面側には、球払出装置１から払い出された遊技球８を貯留し、これを上記遊技盤の遊技領域に向けて発射させるための発射装置（図示略）へと供給することができる球皿６３が配設されている。
また、本体枠６１の裏面側の上部には、多数の遊技球８を貯留することができる球タンク７１が配設されている。球タンク７１の下方には、この球タンク７１から流下した遊技球を１列ずつ整列して流下させるためのタンクレール７２が接続されており、このタンクレール７２の下方には、球払出装置１が接続されている。
【００２１】
また、同図に示すごとく、本体枠６１の裏面側には、球払出装置１の取り付けを固定するための取付固定突起部６４が設けられている。
また、本体枠６１の裏面側には、球払出装置１から払い出された遊技球８を球皿６３に向けて排出させるための球排出通路７３と、後述する球払出装置１内に設けられた球抜き通路２２（図２）に接続され、遊技球８をパチンコ遊技機６の外部へ導くための球抜き接続路７４とが形成されている。
【００２２】
また、同図に示すごとく、タンクレール７２の下流側には、球出口部７２１が設けられており、この球出口部７２１は、球払出装置１の球入口部２１１、つまり、後述する球払出装置１内における払出通路２１（図２）の上流側に接続される。
ここで、払出通路２１は、球払出装置１内の通路に限定されず、タンクレール７２、及びタンクレール７２の球出口部７２１と球払出装置１の球入口部２１１とを連通させる球供給通路が存在する場合は、その通路も払出通路２１として定義される。
【００２３】
次に、球払出装置１について詳細に説明する。
球払出装置１は、図２、図４、図７に示すごとく、ケース部２を有している。ケース部２は、球払出装置１に供給された遊技球８をパチンコ遊技機６における球皿６３へと導くための払出通路２１と、払出通路２１の途中に形成された開口部２０を介して払出通路２１と連通しており、払出通路２１を流下する遊技球８をパチンコ遊技機６の外部へと導くための球抜き通路２２とを形成してなる。また、ケース部２には、本体枠６１に設けられた係合突起部６１９（図７）に係合させるための係合凹部２９が設けられている。
【００２４】
また、同図に示すごとく、球払出装置１は、払出通路２１内における遊技球８を所定個数ずつ流下させるための払出機構３と、開口部２０に隣接して設けられ、払出通路２１と球抜き通路２２との間の開通状態と遮断状態とを切り替えられる開閉弁４と、パチンコ遊技機６への取り付け状態を維持させておくロック部５とを有している。なお、払出機構３、開閉弁４、及びロック部５は、ケース部２に一体的に設けられている。
【００２５】
図２、図４に示すごとく、開閉弁４は、遊技球８の流下を案内する流下案内部４１と、回動の支点となる開閉弁回動支点部４２と、開閉弁４から突出して形成されたストッパー係合部４３とを有している。また、開閉弁４は、払出通路２１の一部を形成して遊技球８の払い出しを行う払出位置４０１（図４）と、球抜き通路２２の一部を形成して遊技球８の球抜きを行う球抜き位置４０２（図５）との間を回動可能に構成されている。これにより、払出通路２１と球抜き通路２２との間の開通状態と遮断状態とを切り替えることができる。
【００２６】
図４、図７に示すごとく、ロック部５は、球払出装置１をパチンコ遊技機６に対して着脱する動作を行うためのレバー５１と、レバー５１の回動の支点となるレバー回動支点部５２とを有している。レバー５１は、パチンコ遊技機６に対する球払出装置１の取り付け状態を維持するロック位置５１１（図７）と、取り付け状態を解除するロック解除位置５１２（図８）との間を回動可能に構成されている。これにより、球払出装置１のパチンコ遊技機６に対するロック状態とロック解除状態とを切り替えることができる。
【００２７】
図７に示すごとく、レバー５１には、バネ部材５４が一体的に設けられている。このバネ部材５４は、壁部５４１に当接されており、レバー５１を後述のＣ２方向に付勢している。そして、通常時、レバー５１は、バネ部材５４の付勢力によってロック位置５１１にある。レバー５１をロック位置５１１からロック解除位置５１２の方向に回動させるためには、バネ部材５４の付勢力に抗して力を加えることが必要となる。また、加えた力を取り除けば、レバー５１は、バネ部材５４の付勢力によりロック位置５１１に回動復帰するように構成されている。
【００２８】
また、図２、図４に示すごとく、レバー５１には、開閉弁４の回動を阻止及び許可するためのストッパー部５３がレバー５１から突出して形成されている。ストッパー部５３は、ケース部２に設けられた貫通穴２８を貫通する位置に形成されている。また、ストッパー部５３は、レバー５１に一体的に形成されているため、レバー５１の回動に合わせて移動することができる。つまり、開閉弁４の回動を阻止する回動阻止位置５３１（このとき、レバー５１はロック位置５１１）（図４）と、開閉弁４の回動を許可する回動許可位置５３２（このとき、レバー５１はロック解除位置５１２）（図５）との間を貫通穴２８の形状に沿って回動することができる。
【００２９】
また、図４、図５に示すごとく、開閉弁４は、アクチュエータ等の動力源を用いることなく回動させて使用する。即ち、開閉弁４は、レバー５１をロック位置５１１からロック解除位置５１２に回動させ、これに伴ってストッパー部５３が回動阻止位置５３１から回動許可位置５３２に回動したときに、払出通路２１内における遊技球８の球圧を受けて、払出位置４０１から球抜き位置４０２へと回動するように構成されている。また、開閉弁４は、これに衝突して流下する遊技球８がなくなった状態で、レバー５１がロック解除位置５１２に位置していた場合、開閉弁４の自重により球抜き位置４０２から払出位置４０１へと回動復帰するように構成されている。
【００３０】
図２、図３に示すごとく、払出機構３は、払出通路２１内における遊技球８を１球ずつ払い出して流下させるための回転板３１と、この回転板３１を所定の回転数で回転させるためのステッピングモータ３２と、回転板３１から払い出した遊技球８の数をカウントする払出検出スイッチ３３とを有している。
【００３１】
また、同図に示すごとく、球払出装置１におけるケース２には、払出通路２１が２列で形成されている。また、タンクレール７２には、遊技球８を流下させる流下通路（図示略）を複数（本例では２つ）有している。各払出通路２１は、流下通路における球出口部７２１に接続されている。また、２条の払出通路２１は、回転板３１の下流側に設けられた収斂通路２１０によって１条に収斂されており、球排出通路７３は、払出通路２１における収斂通路２１０の下流側に接続されている。
【００３２】
また、同図に示すごとく、回転板３１は、２条の払出通路２１にそれぞれ配置されている。また、ステッピングモータ３２は、制御装置によって制御可能であり、この制御装置から出力される出力パルス数に応じて回転板３１を所定の回転数で回転させることができる。そして、払出通路２１を流下してくる遊技球８は、回転板３１により１球ずつに区切って払い出される。回転板３１によって払い出された遊技球８は、収斂通路２１０によって１列状態に収斂され、１つの払出検出スイッチ３３によってカウントされる。
【００３３】
次に、球払出装置１をパチンコ遊技機６に取り付ける動作について説明する。
この動作を説明するために図７〜図１０を用いる。各図には、球払出装置１内に遊技球８が図示されているが、この動作を行うとき、球払出装置１内は、遊技球８が入っていない状態、又は開口部２０よりも上流側に遊技球８がない状態である。
球払出装置１をパチンコ遊技機６に取り付ける際には、図１０に示すごとく、球払出装置１をパチンコ遊技機６の本体枠６１裏面側へ近接させる第１方向、即ち、図中のＡ１方向に移動させる。
【００３４】
次に、図９に示すごとく、球払出装置１を本体枠６１に当接させる。このとき、ロック部５のレバー５１は、取付固定突起部６４に接触して係合し、図中のＣ１方向に回動する。そして、その状態で球払出装置１を本体枠６１の下方側、即ち、上記第１方向と異なる第２方向である図中のＢ１方向に移動させ、球払出装置１の係合凹部２９と本体枠６１に設けられた係合突起部６１９とを係合させる。
【００３５】
このとき、図８に示すごとく、レバー５１は、取付固定突起部６４との係合状態が解除される。そして、図７に示すごとく、レバー５１は、上述したバネ部材５４の付勢力によって自動的に図中のＣ２方向に回動し、ロック位置５１１に戻る。これにより、レバー５１を、取付固定突起部６４の下方に位置させた状態となる。
以上により、球払出装置１の取り付けを完了する。
【００３６】
なお、球払出装置１は、本体枠６１に当接させた後、レバー５１を完全にロック解除位置５１２へ回動させた状態を保持したままＢ１方向に移動させてもよい。この場合には、球払出装置１を、係合凹部２９が係合突起部６１９に係合する位置までＢ１方向に移動させた後、レバー５１をロック解除位置５１２での保持状態を解いてロック位置５１１に戻せばよい。これにより、球払出装置１の取り付けが完了する。
【００３７】
図７に示すごとく、球払出装置１の取り付け状態において、レバー５１は取付固定突起部６４の下方に位置している。また、係合凹部２９と係合突起部６１９とは係合している。このように、球払出装置１は、レバー５１の上面と取付固定突起部６４の下面とが対面していることにより、第１方向であるＢ１方向の逆方向（後述のＢ２方向）への移動が規制される。また、係合凹部２９と係合突起部６１９とが係合することにより、Ａ１方向、Ａ１方向の逆方向（後述のＡ２方向）、Ｂ１方向への移動、また、詳説に図示はしないが、パチンコ遊技機６に対する左右方向の移動が規制される。
【００３８】
また、詳説に図示しないが、払出通路２１の上流側、つまり、球払出装置１の球入口部２１１は、タンクレール７２の下流側に設けられた球出口部７２１と接続されている。また、払出通路２１の下流側は、球排出通路７３と接続されており、球抜き通路２２の下流側は、球抜き接続路７４と接続されている。
【００３９】
次に、球払出装置１を動作させる方法について説明する。
遊技者がパチンコ遊技を行う状態（通常状態）において、図４、図７に示すごとく、レバー５１及びストッパー部５３は、それぞれロック位置５１１及び回動阻止位置５３１にある。また、ストッパー部５３は、開閉弁４のストッパー係合部４３と係合した状態となっており、開閉弁４は払出位置４０１に維持されている。そして、開閉弁４の流下案内部４１は、払出通路２１の一部を形成し、払出通路２１と球抜き通路２２との間は遮断状態となっている。
また、球タンク７１内には、遊技球８が貯留されていると共に、この球タンク７１から遊技球８がタンクレール７２内及び払出通路２１内まで流下して充填されている。
【００４０】
そして、遊技者がパチンコ遊技を行い、遊技領域に配置された役物等に遊技球８が入賞すると、払出機構３は、回転板３１をステッピングモータ３２によって回転させ、賞球としての遊技球８を、払出検出スイッチ３３によって払出数をカウントしながら１球ずつ球皿６３へと払い出す。
この遊技球８の払い出しのとき、開閉弁４の流下案内部４１に遊技球８による球圧が加わっても、ストッパー係合部４３がストッパー部５３と係合していることにより開閉弁４の回動が阻止される。そして、開閉弁４は、払出位置４０１に維持されたままとなる。
【００４１】
次に、球払出装置１をパチンコ遊技機６から取り外す動作について説明する。
球払出装置１のメンテナンスや故障による取替え等で、球払出装置１をパチンコ遊技機６から取り外す必要が生じたときには、図５、図８に示すごとく、球払出装置１の取り付け状態を維持させているロック部５のレバー５１をＣ１方向に回動させる。そして、レバー５１をロック位置５１１からロック解除位置５１２にする。これに伴い、ストッパー部５３は、回動阻止位置５３１から回動許可位置５３２に回動する。これにより、ストッパー係合部４３とストッパー部５３との係合が外れ、開閉弁４は回動が可能な状態となる。
【００４２】
このとき、同図に示すごとく、開閉弁４の流下案内部４１は、払出通路２１内に存在する遊技球８の自重による球圧を受けている。そのため、回動が可能となっている開閉弁４は、この球圧により払出位置４０１から球抜き位置４０２へと回動する。そして、この回動が行われると同時に、開閉弁４の流下案内部４１は、球抜き通路２２の一部を形成し、払出通路２１と球抜き通路２２との間は開通状態となる。そして、球タンク７１内やタンクレール７２内等、開閉弁４よりも上流側に貯留されている遊技球８を球抜き通路２２へと導き、球抜き接続路７４を介してパチンコ遊技機６の外部へと抜き出すことができる。
【００４３】
そして、図６に示すごとく、レバー５１を離すと、バネ部材５４の付勢力によってレバー５１がＣ２方向に回動し、ロック解除位置５１２からロック位置５１１に戻る。そして、ストッパー係合部４３は、レバー５１の移動と共に回動阻止位置５３１に戻ったストッパー部５３と係合し、開閉弁４が払出位置４０１に回動復帰することを阻止する。そのため、開閉弁４は、球抜き位置４０２に維持されたままとなる。つまり、遊技球８の球抜きが開始されてからレバー５１がロック位置５１１に戻っても、継続して球抜きが行われる。そして、球払出装置１は、球抜きが行われている間もロック部５によってロックされ、パチンコ遊技機６への取り付け状態を充分に維持している。
なお、レバー５１をロック解除位置５１２にした状態のままで、球抜きを行ってもかまわない。
【００４４】
図９に示すごとく、遊技球８の球抜きが終了した後、レバー５１をＣ１方向に回動させてロック解除位置５１２にする。そして、レバー５１をロック解除位置５１２に維持した状態のまま、球払出装置１を本体枠６１の上方側、即ち、上記第２方向の逆方向である図中のＢ２方向に移動させる。そして、係合凹部２９と係合突起部６１９との係合を解除する。
なお、レバー５１をロック解除位置５１２にした状態で球抜きを行った場合、球抜き終了後、その状態のままで球払出装置１をＢ２方向に移動させればよい。
【００４５】
最後に、図１０に示すごとく、球払出装置１をパチンコ遊技機６の本体枠６１裏面側から遠ざける方向、即ち、上記第１方向の逆方向である図中のＡ２方向に移動させる。
以上により、球払出装置１の取り外しを完了する。
【００４６】
本例の球払出装置１における作用効果について説明する。
本例の球払出装置１は、パチンコ遊技機６への取り付け状態を維持させておくロック部５を有している。そして、ロック部５をロック解除状態にすることに連動して、パチンコ遊技機６内に貯留されている遊技球８の球抜き動作を開始させるよう構成されている。
即ち、球払出装置１は、パチンコ遊技機６からの取り外し動作であるロック部５のレバー５１をロック位置５１１からロック解除位置５１２に回動させるという動作に連動して、遊技球８の球抜きが開始される。そして、球タンク７１内、タンクレール７２内等、開口部２０よりも上流側に貯留されている遊技球８を外部へ抜き出すことができる。
【００４７】
そのため、上記構成の球払出装置１をパチンコ遊技機６から取り外そうとすれば、その動作に連動して必ず球抜きが行われる。それ故、球抜きをせず、パチンコ遊技機６内に遊技球８が貯留されたままの状態で、球払出装置１を取り外すことを防止することができる。これにより、球払出装置１を取り外した時に、球タンク７１内及びタンクレール７２内に貯留されている遊技球８が球出口部７２１からこぼれ出るというトラブルを防ぐことができる。
【００４８】
また、本例では、球払出装置１内には、遊技球８を払い出すための払出通路２１と、払出通路２１から分岐して球抜きを行うための球抜き通路２２と、払出通路２１から球抜き通路２２への開通状態と遮断状態とを切り替える開閉弁４とが設けられている。そして、開閉弁４は、ロック部５をロック解除状態にすることにより開通状態への動作を可能とするよう構成されている。
【００４９】
即ち、レバー５１をロック位置５１１からロック解除位置５１２に回動させる動作に連動して、開閉弁４は回動が可能な状態となる。そして、開閉弁４は、球抜き位置４０２に回動し、払出通路２１と球抜き通路２２との間の開通状態が実現される。これにより、簡易的な構成により、遊技球８を球抜き通路２２へと導いて、円滑に球抜きを行うことができる。
また、球払出装置１の内部に球抜き機構が設けられているため、球払出装置１よりも上流側にある遊技球８を確実に抜き出すことができる。そのため、球払出装置１を取り外した時に、球払出装置１の上流側から遊技球８がこぼれ出ることを確実に防止することができる。
【００５０】
また、球払出装置１は、パチンコ遊技機６への取り付け時には球払出装置１をパチンコ遊技機６へ近接させる第１方向（Ａ１方向）に移動させた後、第１方向と異なる第２方向（Ｂ１方向）に移動させて取り付け、パチンコ遊技機６からの取り外し時には第２方向の逆方向（Ｂ２方向）、第１方向の逆方向（Ａ２方向）の順に移動させて取り外すよう構成されており、球払出装置１の取り付け状態において、ロック部５は球払出装置１の第２方向の逆方向（Ｂ２方向）への移動を規制する。
【００５１】
即ち、球払出装置１は、ロック部５の動作に加えて、複数の移動動作を行うことにより、パチンコ遊技機６に対して着脱することができる構成である。そのため、パチンコ遊技機６から容易に離脱することを防止することができる。これにより、パチンコ遊技機６への取り付け状態を充分、かつ確実に維持させておくことができる。
また、ロック部５のロックを解除する動作、つまり、レバー５１をロック解除位置５１２に位置させる動作だけでは、パチンコ遊技機６から球払出装置１を取り外すことはできないため、球抜きの最中に不意に球払出装置１が取り外されてしまうことを防止することができる。また、球払出装置１は、上記のような構成であるため、パチンコ遊技機６から球払出装置１を取り外さず、遊技球８の球抜き動作のみを行うことが可能である。
【００５２】
また、球払出装置１は、簡易的な構成でパチンコ遊技機６に対する着脱を実現することができる。そのため、パチンコ遊技機６への取り付け、パチンコ遊技機６からの取り外し動作を片手で簡易的に行うことができる。
また、球払出装置１は、パチンコ遊技機６の裏面側の右側側部に縦長に配設されている。そして、通常、タンクレール７２の球出口７２１と球払出装置１の球入口部２１１とを連結するために別途配設される球供給通路が球払出装置１内に一体的に設けられている。そのため、球払出装置１の組み付けが容易になると共に、パチンコ遊技機６の製造におけるコストダウンを実現することができる。
【００５３】
また、払出検出スイッチ３３は、収斂通路２１０の下方、かつ回転板３１に近接する位置に配設されている。これにより、球払出装置１の下寸法を小さくすることができる。それ故、払出検出スイッチ３３は、回転板３１から払い出された遊技球８を、小さなタイムラグで迅速に検出することができる。
【００５４】
このように、本例によれば、遊技機からの取り外し動作に連動して、必ず遊技球の球抜きが行われるよう構成されている遊技機の球払出装置を提供することができる。
【００５５】
なお、本例では、ロック部５は、球払出装置１に一体的に設けられているが、球払出装置１と別体で構成してもよい。例えば、球払出装置１の上流側に配設されているタンクレール７２、球供給通路等に配設することができる。
また、同様に、開閉弁４は、球払出装置１内に設けられているが、球払出装置１とは別の場所に設けてもよい。例えば、球払出装置１の上流側に配設されているタンクレール７２、球供給通路等に配設することができる。この場合には、球抜き通路２２も、球払出装置１とは別の場所に設けることができる。
【００５６】
また、開閉弁４の開閉動作は、ロック部５の操作に伴って開閉弁４の移動を自由にし、遊技球８の重さを駆動源として行うが、この動作をソレノイド等によって電気的に行ってもよい。
また、遊技球８の球抜き動作も、例えば、ロック部５の操作に伴って回転板３１が回転して球抜きが行われる制御等を用いて電気的に行ってもよい。
また、遊技球８は、パチンコ遊技機６の外部へと抜き出されるが、球皿６３に抜き出してもよい。
【図面の簡単な説明】
【００５７】
【図１】実施例における、パチンコ遊技機の裏面側の構造を示す説明図。
【図２】実施例における、球払出装置の内部構造を示す説明図。
【図３】実施例における、球払出装置における払出通路をパチンコ遊技機の前後方向から見た状態を示す説明図。
【図４】実施例における、ストッパー部が回動阻止位置にあり、開閉弁が払出位置にある状態を示す球払出装置の部分拡大図。
【図５】実施例における、ストッパー部が回動許可位置にあり、開閉弁が球抜き位置にある状態を示す球払出装置の部分拡大図。
【図６】実施例における、ストッパー部が回動阻止位置にあり、開閉弁が球抜き位置にある状態を示す球払出装置の部分拡大図。
【図７】実施例における、球払出装置をパチンコ遊技機に取り付けている状態を示す説明図。
【図８】実施例における、球払出装置をパチンコ遊技機に着脱する状態を示す説明図。
【図９】実施例における、球払出装置をＢ１方向及びＢ２方向に移動させている状態を示す説明図。
【図１０】実施例における、球払出装置をＡ１方向及びＡ２方向に移動させている状態を示す説明図。
【符号の説明】
【００５８】
１  球払出装置
２１  払出通路
２２  球抜き通路
４  開閉弁
５  ロック部
６  パチンコ遊技機
８  遊技球
【図１】
2006345900.tif 000003
【図２】
2006345900.tif 000004
【図３】
2006345900.tif 000005
【図４】
2006345900.tif 000006
【図５】
2006345900.tif 000007
【図６】
2006345900.tif 000008
【図７】
2006345900.tif 000009
【図８】
2006345900.tif 000010
【図９】
2006345900.tif 000011
【図１０】
2006345900.tif 000012